(57)【要約】 【課題】コップ型容器体と、容器体の上部開口部を塞ぐ蓋面を備えると共に、前記開口部に着脱自在に装着される蓋体とからなり、蓋体上面適宜位置に上下貫通して容器体と連通する飲み口を設けた直飲タイプの飲料用容器において、飲み口並びに喫飲時の容器体内への通気を行なう通気小孔からの液漏れを防止する。【解決手段】基部を蓋体上面に軸装して煽り回動で飲み口２１４の開閉をなす開閉部２２を設け、前記開閉部の基部に、開閉部の回動軸線位置より外方に突出自在に組み込み、突出時に開閉部の開放方向ストッパーとなる操作部２３を付設し、蓋面を上下貫通して容器体と連通する通気小孔２１５を、前記操作部の突出で閉塞される位置に設けてなる。【選択図】図２
0003136174.tif 000002
【実用新案登録請求の範囲】
【請求項１】
コップ型容器体と、容器体の上部開口部を塞ぐ蓋面を備えると共に、前記開口部に着脱自在に装着される蓋体とからなり、蓋面の適宜位置に上下貫通して容器体と連通する飲み口を設け、基部を蓋体上面に軸装して煽り回動で前記飲み口の開閉をなす開閉部を設け、前記開閉部の基部に、開閉部の回動軸線位置より外方に突出自在に組み込み、突出時に開閉部の開放方向ストッパーとなる操作部を付設し、蓋面を上下貫通して容器体と連通する通気小孔を、前記操作部の突出で閉塞される位置に設けてなることを特徴とする飲料用容器。
【請求項２】
操作部を開閉部の基部にスライド移動自在に組み込んでなる請求項１記載の飲料用容器。
【請求項３】
操作部の外方突出時に、通気小孔を閉塞する部分を弾性部材で形成してなる請求項１又は２記載の何れかの飲料用容器。
【請求項４】
開閉部の先端に、蓋体外縁部との弾性係止部を設けてなる請求項１乃至３記載の何れかの飲料用容器。
【請求項５】
容器体が断熱構造である請求項１乃至４記載の何れかの飲料用容器。
【請求項６】
容器体への蓋体装着が螺合構造である請求項１乃至５記載の何れかの飲料用容器。
【請求項７】
容器体への蓋体装着が嵌合構造である請求項１乃至５記載の何れかの飲料用容器。
【考案の詳細な説明】
【技術分野】
【０００１】
本考案は、主として携帯される飲料用容器に関するものである。
【背景技術】
【０００２】
携帯タイプの飲料用容器のうち容器体を手に持ったまま直接喫飲する容器は、蓋本体に飲み口を形成すると共に、飲み口を開閉する開閉部を備えている。
【０００３】
例えば特許文献１（特開平７−９５９０７号公報）には、容器体に装着される蓋本体の上面の一側に開口した飲み口を形成し、前記飲み口を開閉する板状の開閉部を、煽り回動自在に蓋本体の上面に組み込む構造が開示されている。
【０００４】
また特許文献２（特開２００３−２１２２５８号公報）には、蓋本体に筒状突出した飲み口を形成し、前記飲み口を開閉する開閉部を、煽り回動自在の伏せ容器形状に形成すると共に、蓋本体上面に通気孔を設けて、飲み口開閉部に通気孔開閉部を付設した直飲容器が開示されている。
【０００５】
【特許文献１】特開平７−９５９０７号公報。
【特許文献２】特開２００３−２１２２５８号公報。
【考案の開示】
【考案が解決しようとする課題】
【０００６】
前記の直飲タイプの飲料用容器における飲み口開閉部の閉塞維持構造は、特許文献１の容器にあっては、開閉部に設けた係止突起が、蓋本体に設けた係止凹部に嵌合係止するものである。即ち樹脂の弾性による係止であり、弾性係止を強いものにすると、開閉部の開口操作に強い力が必要となるので、前記の弾性係止には、強い係止力は望めない。
【０００７】
このため閉塞時において、開閉部に不測の外力が加わった場合に簡単に係合が解除されてしまい、液漏れ等の問題が生ずる。
【０００８】
また特許文献２記載の容器にあっては、シーソータイプの操作爪を蓋本体側に設け、開閉部の先端側（回動軸を基部とする）に前記操作爪に係止される係止部を設け、開閉部に開口付勢構造を備えさせ、操作爪の押圧操作で、開閉部の係止を解除すると開閉部が自ら開放方向に回動する構造が採用されている。
【０００９】
従って操作爪を誤って操作したり、携行中（特にリュック内等の直接視認できない状態での携行の場合）に、操作爪に対して不測の力が加わった場合、開閉部が開放動作し、飲み口や通気孔からの液漏れが生じてしまう。
【００１０】
そこで本考案は、開閉部に新規な閉塞時ロック構造を備えさせた飲料用容器を提案したものである。
【課題を解決するための手段】
【００１１】
本考案に係る飲料用容器は、コップ型容器体と、容器体の上部開口部を塞ぐ蓋面を備えると共に、前記開口部に着脱自在に装着される蓋体とからなり、蓋体上面適宜位置に上下貫通して容器体と連通する飲み口を設けて、基部を蓋体上面に軸装して煽り回動で前記飲み口の開閉をなす開閉部を設け、前記開閉部の基部に、開閉部の回動軸線位置より外方に突出自在に組み込み、突出時に開閉部の開放方向ストッパーとなる操作部を付設し、蓋面を上下貫通して容器体と連通する空気小孔を、前記操作部の突出で閉塞される位置に設けてなることを特徴とするものである。
【００１２】
開閉部に付設した操作部を、開閉部回動軸線位置より内側（非突出状態）に位置させると、開閉部は回動自在の状態で、飲み口を開口することで容器内飲料の喫飲が可能となる。この場合に通気小孔も開通状態であり、スムーズな喫飲が可能となる。
【００１３】
開閉部で飲み口を閉塞した状態で、操作部を開閉部の回動軸線位置より外方に突出させ、通気小孔を閉塞すると、開閉部は飲み口開口方向への回動が操作部の蓋面への当接によって阻止されることになり、開閉部がロック状態となる。
【００１４】
また本考案（請求項３）は、操作部の外方突出時に、通気小孔を閉塞する部分を弾性部材で形成してなるもので、操作部で通気小孔を閉塞すると、閉塞時の弾性反発力が、開閉部の飲み口閉塞方向への押圧力として作用することになり、飲み口の閉塞が確実に行なわれる。
【考案の効果】
【００１５】
本考案の構成は上記のとおりであり、喫飲時の容器体内への通気をなす通気小孔の閉塞が、飲み口閉塞時の開閉部のロックとして作用するもので、飲み口の閉塞と通気小孔の閉塞が確実になされ、飲み口及び通気小孔からの携行時の液漏れの発生を防止できたものである。
【考案を実施するための最良の形態】
【００１６】
次に本考案の実施形態について説明する。実施形態に示した飲料容器は、容器体１と、蓋体２で構成される。
【００１７】
容器体１は、コップ型のステンレス製真空二重構造の断熱容器であり、上方開口部１１の内周面に螺合条１２を形成したものである。
【００１８】
蓋体２は、蓋本体２１と、開閉部２２と、操作部２３で構成され、蓋本体２１は、前記の上方開口部１１を閉塞する蓋面２１１と、蓋面２１１の底部に前記螺合条１２に対応する螺条外周面を備えた装着部２１２と、蓋面２１１の外周に周壁２１３とを備え、周壁２  
１３に近い蓋面２１１に、上下貫通して容器体１内と連通する飲み口２１４を設け、更に前記飲み口２１４の直径方向に、蓋面２１１を上下貫通して容器体１内と連通する通気小孔２１５を穿設してなる。尚通気小孔２１５の外縁は僅かに上方に突出させる。
【００１９】
また前記通気小孔２１５の両側位置に、後述する開閉部２２の軸装用の突出部２１６を形成し、飲み口２１４の近傍の周壁２１３の外周面に係止凹部２１７を設け、装着部２１２の上部外周には、パッキン２１８を装着する。
【００２０】
開閉部２２は、板状の本体部２２１の基部を突出部２１６に軸装（凹凸部の嵌合など適宜な構造を採用する）して、板状の本体部２２１が煽り回動自在に蓋面２１１に組み込むもので、通気小孔２１５は、基部の端縁から外方に外れた位置（開閉部２２の回動軸線ａの位置より外方）に設ける。
【００２１】
前記の本体部２２１における飲み口２１４と対面する箇所に、リングパッキンを備えた閉塞部２２２を突設し、本体部２２１の先部２２３は、周壁２１３を越える逆Ｕ状とし、先端に係止凹部２１７と対応する弾性係止突部２２４を設け、更に基部の裏面に後述する操作部２３の係止突起２３１と対応する係止凹部２２５を設けてなる。
【００２２】
操作部２３は、開閉部２２の基部側にスライド自在に組み込んだもので、基部収納状態と突出状態の所定位置において係止凹部２２５と弾性係合する係止突起２３１と、操作摘み２３２と、突出状態の所定位置における通気小孔２１５と対面する位置に弾性材で形成した閉塞部２３３を設けたものである。
【００２３】
而して容器体に所望の飲料を注ぎ入れた後、蓋体２を容器体１の上方開口部１１に螺合してパッキン２１８で水密に装着し、開閉部２２の開閉操作で飲み口２１４の開閉を行なって喫飲や携行をなすものである。勿論飲料の供給は、蓋体２を装着した状態でも飲み口２１４から注ぎ入れることもできる。
【００２４】
開閉部２２の開閉操作について説明すると、操作部２３を開閉部２２に収納した状態（非突出状態：係止凹部２２５と係止突起２３１が係合）では、開閉部２２は煽り回動自在であり、飲み口２１４を閉塞した状態では、先部２２３の弾性係止突部２２４が係止凹部２１７に係合した状態となる。
【００２５】
従って喫飲時には、前記の係合を解除して開閉部２２を回動し、飲み口２１４を開口する。この際には通気小孔２１５も開口しているのでスムーズに容器体１内の飲料を喫飲できる（図２イの状態）。
【００２６】
非喫飲時（容器携行時）には、飲み口２１４を閉塞部２２２で閉じるように開閉部２２を回動し、先部２２３の弾性係止突部２２４が係止凹部２１７に係合する（図２ロ、図３ロ）。次に操作部２３をスライド移動させて、弾性部材で形成された閉塞部２３３を通気小孔２１５上に乗り上げて、通気小孔２１５を閉塞する（図２ハ、図３イ）。
【００２７】
前記のように操作部２３のスライド移動で通気小孔２１５を閉塞すると、閉塞部２３３の弾性反発力が、開閉部回動軸線ａを中心として開閉部２２を飲み口閉塞方向への押圧力として作用することになり、飲み口２１４が閉塞部２２２で確実に密閉されることになる。
【００２８】
更に開閉部２２の先部２２３を、飲み口開口方向へ動作するように回動操作しても、操作部２３が開閉部２２の回動軸線ａの位置より外方に突出して、蓋面２１１と当接しているので、前記の回動は阻止され、開閉部２２がロックされている状態となる。
【００２９】
従って開閉部２２の閉塞ロックによって開閉部２２が誤って回動することが無いので、飲み口２１４及び通気小孔２１５から液漏れが生ずることが無く、リュックなどに収納しても安心して携行できるものである。
【００３０】
また本考案は前記の実施形態に限定されるものではなく、例えば図５に例示するように、容器体１ａにステンレス製真空二重容器を採用せずに、樹脂製外筒１３と金属製内筒１４で形成した二重断熱容器体を採用しても良いし、また蓋本体２１ａの装着部２１２ａも、螺合構造を採用せずに密嵌構造を採用しても良い。
【００３１】
また蓋体２における操作部のスライド移動構造も、図６に示すように操作部２３ａを半円形状に形成し、周面を開閉部２２ａ基部の半円形のレール部２２６に装着し、操作部２３ａの平面回動によって操作部２３ａの突出（通気小孔の閉塞）を行うようにしても良い。
【００３２】
更に前記の平面回動とせずに起立倒伏方向の立体回動として、操作部の突出を実現しても良い。例えば操作部を、開閉部の基部回動軸線ａより先部側に軸装して煽り回動自在に形成すると共に、基部側への煽り回動で操作部に設けた栓突部を通気小孔に嵌合係止して、通気小孔を閉塞する。この通気小孔の閉塞状態で、操作部が開閉部の開放方向の動作を阻止するストッパーとして作用するもので前記した実施形態と同様に、開閉部の誤った動作による飲み口及び通気小孔から液漏れが防止できたものである。
【図面の簡単な説明】
【００３３】
【図１】本考案の実施形態の全体の外観図。
【図２】同蓋体における開閉部及び操作部の動作説明図で（イ）は喫飲時（ロ）は閉塞時（ハ）はロック時を示す。
【図３】同蓋体の断面図で（イ）はロック前（ロ）はロック後を示す。
【図４】同全体の断面図。
【図５】同容器体の別例の断面図。
【図６】同蓋体の別例の動作説明図で（イ）はロック前（ロ）はロック後を示す。
【符号の説明】
【００３４】
１        容器体
１１      上方開口部
１２      螺合条
１３      樹脂製外筒
１４      金属製内筒
２        蓋体
２１，２１ａ    蓋本体
２１１    蓋面
２１２，２１２ａ    装着部
２１３    周壁
２１４    飲み口
２１５    通気小孔
２１６    突出部
２１７    係止凹部
２１８    パッキン
２２，２２ａ    開閉部
２２１    本体部
２２２    閉塞部
２２３    先部
２２４    弾性係止突部
２２５    係止凹部
２２６    レール部
２３，２３ａ      操作部
２３１    係止突起
２３２    操作摘み
２３３    閉塞部
【図１】
0003136174.tif 000003
【図２】
0003136174.tif 000004
【図３】
0003136174.tif 000005
【図４】
0003136174.tif 000006
【図５】
0003136174.tif 000007
【図６】
0003136174.tif 000008